(57)【特許請求の範囲】
【請求項１】
帯状台紙とこの帯状台紙の上面に疑似接着剤層を介して剥離可能に貼り合わされ帯状台紙の長手方向に亘って隙間を介して並び設けられた複数のカード部とからなり、
前記カード部は上層側からカード基材と透明接着剤層と透明合成樹脂層とを積層してなり、前記カード基材の透明接着剤層側の下面には固定情報記載部を有しているとともに、カード基材の上面には可変情報記載部と光学読み取り機械に対してカード辺位置を示すタイミングマークとを有し、
前記帯状台紙には、上記カード部に対応した位置それぞれに不連続な切り取り部により囲まれて抜き取り可能にした副カード部が設けられて、該副カード部の下面に可変情報記載部を有していることを特徴とするカード連続体。
【請求項２】
上記帯状台紙の長手方向に亘って巻き取られている請求項１に記載のカード連続体。
【請求項３】
上記カード部の間の隙間を折り位置にして折り重ねられている請求項１に記載のカード連続体。
【発明の詳細な説明】
【０００１】
【発明の属する技術分野】
本発明は可変情報が記載できるカード部を複数並び設けたカード連続体に関するものである。
【０００２】
【発明が解決しようとする課題】
従来、展示会などにおける入場カードのような簡易カードを発行する場合には、所要のカード用紙に枠状の不連続な切り込みを入れてカードをそのカード用紙中に分離可能にした形態で形成して、このカード用紙をプリンタにセットしてから前記カードの片面などに所定情報、例えば顧客の氏名や顧客勤務先名などの情報を出力してからカードを取り外すなどの作業を行っていた。一方、このカードのような小片状の紙片に情報を出力するものとしてラベルプリンタがあり、ラベルが連続状態にして並べ設けられたラベル用紙をそのラベルプリンタにセットして出力させることで効率のよい出力処理を行えるものとなっていた。このような小片状の紙片に対して効率よく情報の出力が行えるプリンタが存在し、また、前述のカードの発行に際してカード用紙を用いた場合にカード以外の部分が不要になりやすく不経済であるとともに、カードの分離作業も必要となるものであったことから、前記ラベルプリンタを使用してカードの発行を行えるようにしたいとの要望がなされていた。しかしながら、ラベルのように複数のカードを帯状の剥離紙に剥離可能に止めておくようにするとカード自体に粘着剤を設ける必要があって、剥離紙から取り外したのちにカード片面に位置する粘着面を処理しなければならないことになり、ラベルプリンタを用いたカードの発行が行えないという不都合があった。
そこで本発明は上記した事情に鑑み、粘着剤を用いることなく複数のカードを長い台紙に並べ設けて連続的にプリンタに対して送り込めるようにすることを課題とし、効率の良いカード発行が行えるようにすることを目的とする。
【０００３】
【課題を解決するための手段】
本発明は上記課題を考慮してなされたもので、帯状台紙とこの帯状台紙の上面に疑似接着剤層を介して剥離可能に貼り合わされ帯状台紙の長手方向に亘って隙間を介して並び設けられた複数のカード部とからなり、前記カード部は上層側からカード基材と透明接着剤層と透明合成樹脂層とを積層してなり、前記カード基材の透明接着剤層側の下面には固定情報記載部を有しているとともに、カード基材の上面には可変情報記載部と光学読み取り機械に対してカード辺位置を示すタイミングマークとを有し、前記帯状台紙には、上記カード部に対応した位置それぞれに不連続な切り取り部により囲まれて抜き取り可能にした副カード部が設けられて、該副カード部の下面に可変情報記載部を有していることを特徴とするカード連続体を提供して、上記課題を解消するものである。
そして、本発明にあっては、上記帯状台紙の長手方向に亘って巻き取られているものとすることが可能であり、また、上記カード部の間の隙間を折り位置にして折り重ねられているものとすることが可能である。
【０００４】
【発明の実施の形態】
つぎに本発明を図１と図２に示す実施の形態に基づいて詳細に説明する。
図中１はカード連続体で、該カード連続体１は図１に示されているように帯状台紙２とこの帯状台紙の上面に該帯状台紙の長手方向に沿って並び設けられた複数のカード部３とからなり、カード部３それぞれは隙間４を介して離れた状態にして配置されている。
カード部３それぞれは帯状台紙２の表面に対して剥離可能に貼り合わされているものであって、図２に示すように、そのカード部３は上層側からカード基材５と透明接着剤層６とポリエチレンテレフタレートなどの樹脂からなる透明合成樹脂層７とが積層した積層構成を有していて、上述した帯状台紙２の上面に設けた弱接着力を呈する疑似接着剤層８に前記透明合成樹脂層７が接合することで剥離可能に貼り合わされている。
【０００５】
また、上記カード部３を対して情報を設けることができるようにするために、上記カード基材５においては、そのカード基材５の透明接着剤層６側の下面に固定情報記載部９を有しているとともに、カード基材５の上面に会員氏名、コード番号、有効期限などを印字するための可変情報記載部１０とカード部３への印字の際に光学読み取り機械に対してカード辺位置を示し当該印字を正確に行うためのタイミングマーク１１とを有している。前記固定情報記載部９はカード基材５に対して予め印刷などによって所要の情報を設けたものであり、この情報を設けたのちに透明合成樹脂層７が形成されるようにしている。そして、上面の可変情報記載部１０にあっては、このカード連続体１をラベルプリンタなどにセットして出力させることで情報が記載されるようにしており、前記タイミングマーク１１を光学的読み取り機械が読み取ってカード部それぞれのカード辺位置を把握し、そのカード辺位置を基準にして前記可変情報を出力するように設けられている。
【０００６】
一方、上記帯状台紙２には上記カード部３に対応した位置それぞれに切り取り可能な状態にした副カード部１２が設けられていて、この副カード部１２は帯状台紙２に入れられた不連続な切り取り部１３により囲まれてなるものである。そしてこの副カード部１２にあっては、該副カード部１２の下面に可変情報記載部１４を有しているとともに、副カード部１２のカード辺位置を示すタイミングマーク１１とを有しており、上述したカード部３に対する可変情報印字と同様に前記タイミングマークを読み取りながら可変情報記載部１４に対する情報出力が行えるようにしている。
【０００７】
このようにしてカード部３におけるカード基材５の上面に可変情報を出力したのちにカード部３を帯状台紙２から分離することで、上面側で可変情報が確認でき下面側で透明合成樹脂層を介して固定情報が確認できカードが得られ、さらに、副カード部１２に可変情報を出力したのちに副カード部１２を帯状台紙２から抜くことで、下面側で可変情報が確認できる副カードが得られる。
また、多くのカード部と副カード部を有することになるこのカード連続体１の取り扱いや保管などをし易くするために、帯状台紙２の長手方向に亘って巻き取ってロール形態としたり、カード部３の間の隙間４を折り位置にしてＺ状に折り重ねるようにしてもよい。
なお、疑似接着剤層は表出した状態では粘着性を生ずるものではなく副カードを取り扱うに際して支障を来すことがないものである。
【０００８】
【発明の効果】
以上説明したように、本発明のカード連続体によれば、帯状台紙とこの帯状台紙の上面に疑似接着剤層を介して剥離可能に貼り合わされ帯状台紙の長手方向に亘って隙間を介して並び設けられた複数のカード部とからなり、前記カード部は上層側からカード基材と透明接着剤層と透明合成樹脂層とを積層してなり、前記カード基材の透明接着剤層側の下面には固定情報記載部を有しているとともに、カード基材の上面には可変情報記載部と光学読み取り機械に対してカード辺位置を示すタイミングマークとを有し、前記帯状台紙には、上記カード部に対応した位置それぞれに不連続な切り取り部により囲まれて抜き取り可能にした副カード部が設けられて、該副カード部の下面に可変情報記載部を有しているものである。  これによって、ラベルプリンタなどの出力機器を用いてカード部と副カード部それぞれに可変情報を出力することで可変情報を有したカードと副カードとが得られ、そして、帯状台紙上面のカード部を分離しても粘着剤などを有しないカードとなり、粘着剤保護などの後処理を要することなく簡単にカードを作成できるなど、実用性に優れた効果を奏するものである。
【図面の簡単な説明】
【図１】本発明に係るカード連結体の一例を示す説明図である。
【図２】一例を断面で示す説明図である。
【符号の説明】
１…カード連続体
２…帯状台紙
３…カード部
４…隙間
５…カード基材
６…透明接着剤層
７…透明合成樹脂層
８…疑似接着剤層
９…固定情報記載部
１０…可変情報記載部
１１…タイミングマーク
１２…副カード部
１３…切り取り部
１４…可変情報記載部
【図１】
0003615383.tif 000002
【図２】
0003615383.tif 000003